(57)【要約】【課題】保持プレートの強度が低下するのを抑制しながら、インクが保持プレートに付着するのを抑制することが可能なメンテナンスユニットおよびそれを備えたインクジェット記録装置を提供する。【解決手段】メンテナンスユニット１９は、記録ヘッド１７ａ〜１７ｃのインクを拭き取るワイパー３５ａ〜３５ｃと、ワイパー３５ａ〜３５ｃを保持した状態で移動するワイパーキャリッジ３１と、を備える。ワイパー３５ａ〜３５ｃを保持する保持板金１３１のインク吐出面Ｆに対向する部分には、上下方向に連通する連通部１３２、１３３が形成されている。連通部１３２、１３３には、上部開口１３６ａと下部開口１３７ａとを有するインクガイド部材１３５が設けられている。上部開口１３６ａの矢印ＡＡ´方向の長さＬ１３６ａは、インク吐出面Ｆの長さＬｆよりも長く、連通部１３２、１３３の長さＬ１３２、Ｌ１３３は、インク吐出面Ｆの長さＬｆよりも短い。【選択図】図２３
2020082358.tif 000002
【特許請求の範囲】
【請求項１】
記録媒体上にインクを吐出するインク吐出口が開口するインク吐出面を有する記録ヘッドを清浄化するメンテナンスユニットであって、
前記インク吐出口から強制的に押出されたインクを拭き取るワイパーと、
前記ワイパーを保持した状態でワイピング方向に沿って移動するワイパーキャリッジと、
前記ワイパーの下方に配置され、前記ワイパーにより拭き取られた前記インクを回収するトレイ面を有する回収トレイと、
を備え、
前記ワイパーキャリッジには、前記ワイパーを保持する保持プレートが設けられており、
前記保持プレートの前記インク吐出面に対向する部分には、上下方向に連通する連通部が形成されており、
前記連通部には、前記インク吐出口から前記インクが強制的に押出された際に前記インク吐出面から落下する前記インクを受け入れる上部開口と、前記上部開口と連通し前記インクを前記回収トレイに落下させる下部開口と、を有するインクガイド部材が設けられており、
前記上部開口の前記ワイピング方向と直交する幅方向の長さは、前記インク吐出面の前記幅方向の長さよりも長く、
前記連通部の前記幅方向の長さは、前記インク吐出面の前記幅方向の長さよりも短く、
前記下部開口の前記幅方向の長さは、前記連通部の前記幅方向の長さよりも短いことを特徴とするメンテナンスユニット。
【請求項２】
前記トレイ面は、前記ワイピング方向に沿って傾斜しており、
前記トレイ面には、前記ワイピング方向に沿って延びるとともに、断面視谷形状に形成され、回収した前記インクが流れる溝が設けられており、
前記溝の最深部は、前記下部開口に対向配置されていることを特徴とする請求項１に記載のメンテナンスユニット。
【請求項３】
前記下部開口の前記ワイピング方向の長さは、前記上部開口の前記ワイピング方向の長さよりも短いことを特徴とする請求項１または２に記載のメンテナンスユニット。
【請求項４】
前記上部開口および前記連通部は、１つの前記インク吐出面に対して複数個ずつ設けられていることを特徴とする請求項３に記載のメンテナンスユニット。
【請求項５】
前記インクガイド部材は、前記上部開口を有するとともに前記幅方向の長さが下方に向かって短くなるように形成されたインク受け部と、前記インク受け部の下端から下方に延びて前記連通部に挿通されるとともに、前記下部開口を有するインク案内部と、を有することを特徴とする請求項１〜４のいずれか１項に記載のメンテナンスユニット。
【請求項６】
請求項１〜５のいずれか１項に記載のメンテナンスユニットと、
前記記録媒体上に前記インクを吐出する前記記録ヘッドと、
を備えることを特徴とするインクジェット記録装置。
【発明の詳細な説明】
【技術分野】
【０００１】
本発明は、用紙のような記録媒体にインクを吐出する記録ヘッドを清浄化するメンテナンスユニットおよびそれを備えたインクジェット記録装置に関するものである。
【背景技術】
【０００２】
ファクシミリ、複写機、プリンターのような記録装置として、インクを吐出して画像を形成するインクジェット記録装置が、高精細な画像を形成できることから広く用いられている。
【０００３】
従来、インクジェット記録装置では、通常、インク吐出口内で増粘したインクをインク吐出口から強制的に押出してワイパーで拭き取る回復処理を行う。このため、インクジェット記録装置には、用紙（記録媒体）へインクを吐出する記録ヘッドと、記録ヘッドを清浄化するメンテナンスユニットと、が設けられる。
【０００４】
メンテナンスユニットは、強制的に押出されたインクを拭き取るワイパーと、ワイパーを保持した状態でワイピング方向に沿って移動するワイパーキャリッジと、ワイパーの下方に配置され、ワイパーにより拭き取られたインクを回収するトレイ面を有する回収トレイと、を有する。ワイパーキャリッジには、ワイパーを保持する保持プレートが設けられている。
【０００５】
なお、メンテナンスユニットによって記録ヘッドの回復処理を行うインクジェット記録装置は、例えば特許文献１に開示されている。
【先行技術文献】
【特許文献】
【０００６】
【特許文献１】特開２０１８−１１８４４１号公報
【発明の概要】
【発明が解決しようとする課題】
【０００７】
しかしながら、従来のメンテナンスユニットでは、インク吐出口から押出されるインクの量が多い場合、インクがインク吐出面から落下して保持プレートに付着する。保持プレートに付着したインクは、保持プレート上で固まったり、ワイパーキャリッジの端部まで流れてワイパーキャリッジの往復移動に悪影響を及ぼしたりする。
【０００８】
この不都合を改善するために、保持プレートのインク吐出面に対向する部分に開口部を形成し、インクが保持プレートに付着するのを抑制することが考えられるが、開口部を大きくすると保持プレートの強度が低下してしまう。
【０００９】
本発明は、上記のような課題を解決するためになされたものであり、本発明の目的は、保持プレートの強度が低下するのを抑制しながら、インクが保持プレートに付着するのを抑制することが可能なメンテナンスユニットおよびそれを備えたインクジェット記録装置を提供することである。
【課題を解決するための手段】
【００１０】
上記目的を達成するために、本発明の第１の局面のメンテナンスユニットは、記録媒体上にインクを吐出するインク吐出口が開口するインク吐出面を有する記録ヘッドを清浄化するメンテナンスユニットである。メンテナンスユニットは、インク吐出口から強制的に押出されたインクを拭き取るワイパーと、ワイパーを保持した状態でワイピング方向に沿って移動するワイパーキャリッジと、ワイパーの下方に配置され、ワイパーにより拭き取られたインクを回収するトレイ面を有する回収トレイと、を備える。ワイパーキャリッジには、ワイパーを保持する保持プレートが設けられている。保持プレートのインク吐出面に対向する部分には、上下方向に連通する連通部が形成されている。連通部には、インク吐出口からインクが強制的に押出された際にインク吐出面から落下するインクを受け入れる上部開口と、上部開口に連通しインクを回収トレイに落下させる下部開口と、を有するインクガイド部材が設けられている。上部開口のワイピング方向と直交する幅方向の長さは、インク吐出面の幅方向の長さよりも長く、連通部の幅方向の長さは、インク吐出面の幅方向の長さよりも短く、下部開口の幅方向の長さは、連通部の幅方向の長さよりも短い。
【発明の効果】
【００１１】
本発明の第１の局面のメンテナンスユニットによれば、保持プレートのインク吐出面に対向する部分には、上下方向に連通する連通部が形成されており、連通部には、インク吐出口からインクが強制的に押出された際にインク吐出面から落下するインクを受け入れる上部開口と、上部開口と連通しインクを回収トレイに落下させる下部開口と、を有するインクガイド部材が設けられている。そして、上部開口の幅方向の長さは、インク吐出面の幅方向の長さよりも長く、下部開口の幅方向の長さは、連通部の幅方向の長さよりも短い。これにより、インク吐出口から押出されるインクの量が多い場合であっても、インク吐出面から落下するインクをインクガイド部材で受けて回収トレイに落下させることができるので、インクが保持プレートに付着するのを抑制することができる。このため、インクが保持プレート上で固まったり、ワイパーキャリッジの端部まで流れてワイパーキャリッジの往復移動に悪影響を及ぼしたりするのを抑制することができる。
【００１２】
また、連通部の幅方向の長さは、インク吐出面の幅方向の長さよりも短い。これにより、保持プレートの連通部が幅方向に大きくなるのを抑制することができるので、保持プレートの強度が低下するのを抑制することができる。
【００１３】
また、下部開口の幅方向の長さは、上部開口の幅方向の長さよりも短いので、インクは、幅方向に集められた状態でトレイ面に落下する。このため、トレイ面に落下したインクが流れやすくなるので、その場所でインクが固まってしまうのを抑制することができる。その結果、インクを容易に収集することができる。なお、インクが幅方向に広がった状態でトレイ面に落下し、少量のインクが分散した状態になると、インクが流れにくくなり、その場所でインクが固まってしまう。
【図面の簡単な説明】
【００１４】
【図１】本発明の一実施形態のメンテナンスユニットを備えたプリンターの概略構造を示した図である。
【図２】本発明の一実施形態のプリンターの第１搬送ユニットおよび記録部を上方から示した図である。
【図３】本発明の一実施形態のプリンターの記録部の構造を示した図である。
【図４】本発明の一実施形態のプリンターの記録部のラインヘッドを構成する記録ヘッドの構造を示した図である。
【図５】本発明の一実施形態のプリンターの記録ヘッドをインク吐出面側から示した図である。
【図６】本発明の一実施形態のプリンターのキャップユニットおよび第１搬送ユニット等の構造を示した図であり、第１搬送ユニットが上昇位置に配置された状態を示す図である。
【図７】本発明の一実施形態のプリンターのキャップユニットおよび第１搬送ユニット等の構造を示した図であり、第１搬送ユニットが下降位置に配置された状態を示す図である。
【図８】本発明の一実施形態のプリンターのキャップユニット等の構造を示した図であり、キャップユニットおよびメンテナンスユニットが第１位置に配置された状態を示す図である。
【図９】図８の状態からキャップユニットおよびメンテナンスユニットを上昇させた状態を示す図である。
【図１０】本発明の一実施形態のプリンターのキャップユニットの構造を示した図である。
【図１１】本発明の一実施形態のプリンターのキャップユニットおよびメンテナンスユニット等の構造を示した図であり、キャップユニットが第２位置に配置され、メンテナンスユニットが第１位置に配置された状態を示す図である。
【図１２】図１１の状態からメンテナンスユニットを上昇させた状態を示す図である。
【図１３】図１２の状態からワイパーキャリッジを矢印Ｂ方向に移動させた状態を示す図である。
【図１４】本発明の一実施形態のプリンターのユニット昇降機構周辺の構造を示す図である。
【図１５】本発明の一実施形態のプリンターの連結ピンおよび押し上げ片周辺の構造を示す図であり、メンテナンスユニットとキャップユニットとが連結していない状態を示す図である。
【図１６】本発明の一実施形態のプリンターの連結ピンおよび押し上げ片周辺の構造を示す図であり、メンテナンスユニットとキャップユニットとが連結した状態を示す図である。
【図１７】本発明の一実施形態のメンテナンスユニットのワイパーキャリッジおよびワイパーユニット周辺の構造を示す図である。
【図１８】本発明の一実施形態のメンテナンスユニットのワイパーキャリッジの構造を示す図である。
【図１９】本発明の一実施形態のメンテナンスユニットのワイパーユニットの構造を示す図である。
【図２０】本発明の一実施形態のメンテナンスユニットの保持板金の構造を示す図である。
【図２１】本発明の一実施形態のメンテナンスユニットのインクガイド部材の構造を示す図である。
【図２２】本発明の一実施形態のメンテナンスユニットのインクガイド部材の矢印ＡＡ´方向に沿った断面図である。
【図２３】本発明の一実施形態のメンテナンスユニットのワイパーキャリッジ、インクガイド部材およびトレイ面周辺の構造を示す図である。
【図２４】本発明の一実施形態のメンテナンスユニットの回収トレイ周辺の構造を示す図である。
【発明を実施するための形態】
【００１５】
以下、本発明の実施形態について図面を参照して説明する。
【００１６】
図１〜図２４を参照して、本発明の一実施形態のメンテナンスユニット１９を備えたインクジェット式のプリンター１００（インクジェット記録装置）について説明する。図１に示すように、プリンター１００は、プリンター本体１の内部下方に用紙収容部である給紙カセット２が配置されている。給紙カセット２の内部には、記録媒体の一例である用紙Ｐが収容されている。給紙カセット２の用紙搬送方向下流側、すなわち図１における給紙カセット２の右側の上方には給紙装置３が配置されている。この給紙装置３により、用紙Ｐは図１において給紙カセット２の右上方に向け、１枚ずつ分離されて送り出される。
【００１７】
また、プリンター１００はその内部に第１用紙搬送路４ａを備えている。第１用紙搬送路４ａは、給紙カセット２に関して言えばその給紙方向である右上方に位置する。給紙カセット２から送り出された用紙Ｐは第１用紙搬送路４ａによりプリンター本体１の側面に沿って垂直上方に搬送される。
【００１８】
用紙搬送方向に対し第１用紙搬送路４ａの下流端にはレジストローラー対１３が備えられている。さらにレジストローラー対１３の用紙搬送方向下流側直近には第１搬送ユニット５及び記録部９が配置されている。給紙カセット２から送り出された用紙Ｐは第１用紙搬送路４ａを通ってレジストローラー対１３に到達する。レジストローラー対１３は用紙Ｐの斜め送りを矯正しつつ記録部９が実行するインク吐出動作とのタイミングを計り、第１搬送ユニット５に向かって用紙Ｐを送り出す。
【００１９】
用紙搬送方向に対し第１搬送ユニット５の下流側（図１の左側）には第２搬送ユニット１２が配置されている。記録部９にてインク画像が記録された用紙Ｐは第２搬送ユニット１２へと送られ、第２搬送ユニット１２を通過する間に用紙Ｐ表面に吐出されたインクが乾燥される。
【００２０】
用紙搬送方向に対し第２搬送ユニット１２の下流側であってプリンター本体１の左側面近傍にはデカーラー部１４が備えられている。第２搬送ユニット１２にてインクが乾燥された用紙Ｐはデカーラー部１４へと送られ、用紙Ｐに生じたカールが矯正される。
【００２１】
用紙搬送方向に対しデカーラー部１４の下流側（図１の上方）には第２用紙搬送路４ｂが備えられている。デカーラー部１４を通過した用紙Ｐは両面記録を行わない場合、第２用紙搬送路４ｂからプリンター１００の左側面外部に設けられた用紙排出トレイ１５に排出される。
【００２２】
プリンター本体１の上部であって記録部９及び第２搬送ユニット１２の上方には両面記録を行うための反転搬送路１６が備えられている。両面記録を行う場合には第一面への記録が終了して第２搬送ユニット１２及びデカーラー部１４を通過した用紙Ｐが第２用紙搬送路４ｂを通って反転搬送路１６へと送られる。反転搬送路１６へ送られた用紙Ｐは、続いて第二面の記録のために搬送方向が切り替えられ、プリンター本体１の上部を通過して右側に向かって送られ、第１用紙搬送路４ａ、及びレジストローラー対１３を経て第二面を上向きにした状態で再度第１搬送ユニット５へと送られる。
【００２３】
また、第２搬送ユニット１２の下方にはメンテナンスユニット１９及びキャップユニット５０が配置されている。メンテナンスユニット１９は、後述するパージを実行する際に記録部９の下方に水平移動し、記録ヘッドのインク吐出口から押出されたインクを拭き取り、拭き取られたインクを回収する。キャップユニット５０は、記録ヘッドのインク吐出面をキャッピングする際に記録部９の下方に水平移動し、さらに上方に移動して記録ヘッドの下面に装着される。
【００２４】
記録部９は図２および図３に示すように、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、駆動ローラー６及び従動ローラー７を含む複数のローラーに張架された第１搬送ベルト８の搬送面に対して所定の間隔（例えば１ｍｍ）が形成されるような高さに支持され、用紙搬送方向（矢印Ａ方向）と直交する用紙幅方向（矢印ＢＢ´方向）に沿って複数（ここでは３個）の記録ヘッド１７ａ〜１７ｃが千鳥状に配列されている。
【００２５】
図４及び図５に示すように、記録ヘッド１７ａ〜１７ｃのインク吐出面Ｆにはインク吐出口１８（図２参照）が多数配列されたインク吐出領域Ｒが設けられている。なお、記録ヘッド１７ａ〜１７ｃは同一の形状及び構成であるため、図４及び図５では記録ヘッド１７ａ〜１７ｃを一つの図で示している。
【００２６】
各ラインヘッド１１Ｃ〜１１Ｋを構成する記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００２７】
各記録ヘッド１７ａ〜１７ｃは、プリンター１００全体を制御する制御部１１０（図１参照）からの制御信号により、外部コンピューター等から受信した画像データに応じて、第１搬送ベルト８の搬送面に吸着保持されて搬送される用紙Ｐに向かってインク吐出口１８からインクを吐出する。これにより、第１搬送ベルト８上の用紙Ｐにはシアン、マゼンタ、イエロー、ブラックの４色のインクが重ね合わされたカラー画像が形成される。
【００２８】
このプリンター１００では、記録ヘッド１７ａ〜１７ｃのインク吐出面Ｆを清浄にするために、長期間停止後の印字開始時及び印字動作の合間には、全ての記録ヘッド１７ａ〜１７ｃのインク吐出口１８からインクを強制的に排出し、後述するワイパー３５ａ〜３５ｃ（図１２参照）によりインク吐出面Ｆを拭き取り、次の印字動作に備える。
【００２９】
次に、キャップユニット５０およびメンテナンスユニット１９および周辺の構造について詳細に説明する。
【００３０】
第１搬送ユニット５は図６および図７に示すように、収納フレーム７０に収納されている。第１搬送ユニット５は、昇降駆動源およびギア列等からなる搬送昇降機構（図示せず）により上下方向に昇降可能に構成されている。第１搬送ユニット５は、印字動作時には上昇位置（図６の位置）に配置され、記録ヘッド１７ａ〜１７ｃのインク吐出面Ｆに近接している。また、第１搬送ユニット５は、記録ヘッド１７ａ〜１７ｃの後述する回復動作時およびキャッピング動作時には、下降位置（図７の位置）に配置される。
【００３１】
キャップユニット５０は図７および図８に示すように、記録部９の真下の第１位置（図８の位置）と、第１位置から水平方向（矢印Ａ方向）に退避した第２位置（図７の位置）と、の間を往復移動可能に構成されている。なお、キャップユニット５０が第１位置に配置される場合、第１搬送ユニット５は下降位置に配置されている。また、キャップユニット５０は図８および図９に示すように、第１位置において上下方向に昇降可能に構成されている。
【００３２】
キャップユニット５０は、印字動作時および回復動作時には、第２位置（図６の位置）に配置される。キャップユニット５０は、キャッピング動作時には、第１位置（図８および図９の位置）において上方に移動して記録ヘッド１７ａ〜１７ｃにキャッピングを行うように構成されている。なお、キャップユニット５０は後述するように、第２位置においてメンテナンスユニット１９と連結・連結解除可能に構成されており、キャップユニット５０の水平方向および上下方向の移動は、メンテナンスユニット１９がキャップユニット５０に連結した状態で移動することによって行われる。
【００３３】
キャップユニット５０は図１０に示すように、板金製のキャップトレイ５１と、キャップトレイ５１の用紙幅方向（矢印ＢＢ´方向）両端に形成された一対のトレイ側板５２と、キャップトレイ５１の上面に配置される凹状の１２個のキャップ部５３と、４個の高さ方向位置決め突起５４と、を含んでいる。
【００３４】
キャップ部５３は、記録ヘッド１７ａ〜１７ｃに対応する位置に配置されている。これにより、図９に示すように第１位置においてキャップユニット５０が上方に移動することによって、各キャップ部５３が各記録ヘッド１７ａ〜１７ｃのインク吐出面Ｆのキャップを行う。高さ方向位置決め突起５４は、記録ヘッド１７ａ〜１７ｃのキャップを行うためにキャップユニット５０を記録部９側に上昇させたとき、記録部９のハウジング１０に当接することでキャップトレイ５１の高さ方向の位置決めを行う。キャップ部５３の長手方向（矢印ＢＢ´方向）両端の下部とキャップトレイ５１との間には、圧縮バネからなるキャップバネ５５が配置されている。キャップバネ５５によって、キャップ部５３とインク吐出面Ｆとの接触状態が一定に保持される。
【００３５】
メンテナンスユニット１９は図７および図１１に示すように、記録部９の真下の第１位置（図１１の位置）と、第１位置から水平方向（矢印Ａ方向）に退避した第２位置（図７の位置）と、の間を往復移動可能に構成されている。なお、メンテナンスユニット１９が第１位置に配置される場合、第１搬送ユニット５は下降位置に配置されている。また、メンテナンスユニット１９は図１１および図１２に示すように、第１位置において上下方向に昇降可能に構成されている。
【００３６】
メンテナンスユニット１９は、印字動作時には、第２位置に配置される。メンテナンスユニット１９は、回復動作時およびキャッピング動作時には、第１位置（図１１の位置）において上方に移動するように構成されている。
【００３７】
メンテナンスユニット１９は図１２および図１３に示すように、複数のワイパー３５ａ〜３５ｃが固定された略矩形状のワイパーキャリッジ３１と、ワイパーキャリッジ３１を支持する支持フレーム４０とで構成されている。
【００３８】
支持フレーム４０の上面の矢印ＡＡ´方向に対向する端縁にはレール部４１ａ、４１ｂが形成されており、ワイパーキャリッジ３１の四隅に設けられたコロ３６がレール部４１ａ、４１ｂに当接することで、ワイパーキャリッジ３１は支持フレーム４０に対し矢印ＢＢ´方向に摺動可能に支持される。
【００３９】
支持フレーム４０の外側には、ワイパーキャリッジ３１を水平方向（矢印ＢＢ´方向）に移動させるためのワイパーキャリッジ移動モーター４５と、ワイパーキャリッジ移動モーター４５およびワイパーキャリッジ３１のラック歯（図示せず）に係合するギア列（図示せず）と、が取り付けられている。ワイパーキャリッジ移動モーター４５が正逆回転することにより、ギア列が正逆回転し、ワイパーキャリッジ３１が水平方向（矢印ＢＢ´方向）に往復移動する。
【００４０】
ワイパー３５ａ〜３５ｃは、各記録ヘッド１７ａ〜１７ｃのインク吐出口１８から押し出されたインクを拭き取るための弾性部材（例えばＥＰＤＭからなるゴム製の部材）である。ワイパー３５ａ〜３５ｃは、インク吐出口１８が開口するインク吐出領域Ｒ（図５参照）の外側の拭き取り開始位置に略垂直方向から圧接され、ワイパーキャリッジ３１の移動によりインク吐出領域Ｒを含むインク吐出面Ｆを所定方向（図１２の矢印Ｂ方向）に拭き取る。
【００４１】
４枚のワイパー３５ａは略等間隔で配置されており、同様に、４枚のワイパー３５ｂおよび４枚のワイパー３５ｃもそれぞれ略等間隔で配置されている。ワイパー３５ａ、３５ｃは、それぞれ各ラインヘッド１１Ｃ〜１１Ｋを構成する記録ヘッド１７ａ、１７ｃ（図３参照）に対応する位置に配置されている。また、ワイパー３５ｂは、各ラインヘッド１１Ｃ〜１１Ｋを構成する記録ヘッド１７ｂ（図３参照）に対応する位置に配置されており、ワイパー３５ａ、３５ｃに対しワイパーキャリッジ３１の移動方向と直交する方向（矢印ＡＡ´方向）に所定距離だけずらして固定されている。
【００４２】
支持フレーム４０の上面には、ワイパー３５ａ〜３５ｃによってインク吐出面Ｆから拭き取られた廃インクを回収するための回収トレイ４４が配置されている。回収トレイ４４に回収された廃インクは、廃インクタンク（図示せず）に貯留される。なお、回収トレイ４４周辺の構造については後述する。
【００４３】
また、メンテナンスユニット１９は図７に示すように、断面コの字状のキャリッジ８０に収納されているとともに、第２位置においてキャップユニット５０の下方に配置される。メンテナンスユニット１９は、図７および図１１に示すように水平方向（矢印ＡＡ´方向）に移動する場合にはキャリッジ８０と一体で移動し、図１１および図１２に示すように上下方向に移動する場合にはキャリッジ８０に対して上下方向に移動する。
【００４４】
キャリッジ８０は、メンテナンスユニット１９が載置される板金製のキャリッジ底板８１（図１４参照）と、キャリッジ底板８１の用紙幅方向（矢印ＢＢ´方向）両端に立設された一対のキャリッジ側板８２と、によって構成されている。キャリッジ側板８２は、プリンター本体１のキャリッジ支持レール（図示せず）に対して摺動可能に構成されている。キャリッジ側板８２の上面には図１４に示すように、ラック歯を有するラック部８２ａが形成されている。ラック部８２ａにはギア８５ａが係合しており、ギア８５ａを含むギア列は、モーターからなるキャリッジ駆動源（図示せず）に繋がっている。キャリッジ駆動源が正逆回転することにより、ギア列が正逆回転し、キャリッジ８０が第１位置と第２位置との間を往復移動する。なお、ギア８５ａを含むギア列およびキャリッジ駆動源によって、キャップユニット５０およびメンテナンスユニット１９を水平方向に移動させるユニット水平移動機構８５が構成されている。
【００４５】
キャリッジ８０の内部には図１４に示すように、メンテナンスユニット１９を上下方向に昇降させるユニット昇降機構６０が設けられている。ユニット昇降機構６０は、ワイヤー６１ａおよび６１ｂと、ワイヤー６１ａおよび６１ｂを巻き取る巻き取りプーリー６２と、ワイヤー６１ａおよび６１ｂの方向を変換するプーリー６３ａおよび６３ｂと、巻き取り駆動モーター（巻き取り駆動源）６４と、を含んでいる。
【００４６】
ワイヤー６１ａは、巻き取りプーリー６２からプーリー６３ａを介してメンテナンスユニット１９の矢印Ａ´方向の下部に取り付けられている。ワイヤー６１ｂは、巻き取りプーリー６２からプーリー６３ａおよび６３ｂを介してメンテナンスユニット１９の矢印Ａ方向の下部に取り付けられている。ワイヤー６１ａおよび６１ｂ、巻き取りプーリー６２、プーリー６３ａおよび６３ｂのそれぞれは、矢印ＢＢ´方向の両側（図１４の紙面に対して手前側および奥側）に１つずつ設けられている。一対の巻き取りプーリー６２は、１つの回転軸６５の両端に固定されている。回転軸６５には、巻き取り駆動モーター６４に繋がるギア列（図示せず）に係合する回転軸ギア（図示せず）が固定されている。巻き取り駆動モーター６４が正逆回転することにより、巻き取りプーリー６２が正逆回転する。
【００４７】
また、メンテナンスユニット１９には図１４および図１５に示すように、上方に延びる複数の連結ピン４２が設けられている。キャップユニット５０のトレイ側板５２の下面には、連結ピン４２に対応する位置に連結穴５２ａ（図１５参照）が形成されている。連結ピン４２および連結穴５２ａによって、キャップユニット５０とメンテナンスユニット１９とを連結または連結解除する連結機構が構成されている。
【００４８】
メンテナンスユニット１９が第２位置において下降した状態（図１４の状態、第１の高さ位置に配置された状態）では、図１５に示すように連結ピン４２は連結穴５２ａに挿入されず、メンテナンスユニット１９とキャップユニット５０とは連結していない（連結が解除されている）。その一方、メンテナンスユニット１９が第２位置において上昇する（第１の高さ位置よりも高い第２の高さ位置に配置される）と、図１６に示すように連結ピン４２が連結穴５２ａに挿入され、メンテナンスユニット１９とキャップユニット５０とが連結する。これにより、キャップユニット５０は、メンテナンスユニット１９と一体になり、水平方向および上下方向への移動が可能となる。
【００４９】
なお、第２位置には、メンテナンスユニット１９とキャップユニット５０とが連結していない状態（連結が解除された状態）でキャップユニット５０を支持するキャップ支持部（図示せず）が設けられている。また、第２位置には、メンテナンスユニット１９とキャップユニット５０とが連結していない状態（キャッピング動作時以外（印字動作時および回復動作時）の状態）でキャップユニット５０のキャップ部５３に密着してキャップ部５３を保護する蓋部材（図示せず）が設けられている。蓋部材（図示せず）は、キャップ部５３に上方から密着することによって、キャップ部５３の上面（インク吐出面Ｆに密着する面）に埃や紙粉等の異物が付着するのを防止するとともに、キャップ部５３の内部の水分が蒸発して無くなるのを抑制する。
【００５０】
次に、ワイパーキャリッジ３１周辺の構造について詳細に説明する。
【００５１】
図１７および図１８に示すように、ワイパーキャリッジ３１は、断面視コの字状の板金からなるキャリッジ本体１２０と、コロ３６を有する一対のレール部１２５と、によって構成されている。キャリッジ本体１２０は図１８に示すように、底面部１２０ａと、底面部１２０ａの矢印ＡＡ´方向（ワイピング方向と直交する幅方向）の端部から立設する一対の側面部１２０ｂと、を有する。レール部１２５は、側面部１２０ｂに固定されている。
【００５２】
キャリッジ本体１２０の底面部１２０ａ上には、図１９に示すワイパーユニット１３０が固定されている。ワイパーユニット１３０は図１９に示すように、ワイパー３５ａ〜３５ｃと、ワイパー３５ａ〜３５ｃを保持する保持板金（保持プレート）１３１と、インクガイド部材１３５と、によって構成されている。
【００５３】
保持板金１３１は、キャリッジ本体１２０の底面部１２０ａ（図１８参照）と平行に配置されている。また、保持板金１３１は、底面部１２０ａに比べて、矢印ＡＡ´方向に少しだけ短く、矢印ＢＢ´方向に長く形成されている。
【００５４】
ここで、本実施形態では図２０に示すように、保持板金１３１のうち、後述するパージ実行時（ワイパーキャリッジ３１が図１２の位置に配置されている時）に記録ヘッド１７ａ〜１７ｃ（図３参照）のインク吐出面Ｆに対向する部分（真下の部分）には、上下方向に連通する連通部１３２および１３３が形成されている。なお、後述するパージ実行時（ワイパーキャリッジ３１が図１２の位置に配置されている時）において、保持板金１３１は、記録ヘッド１７ｃと、記録ヘッド１７ｂの矢印Ｂ´方向側の約半分と、の真下に配置される。このため、保持板金１３１には、記録ヘッド１７ｃに対向する連通部１３２と、記録ヘッド１７ｂの矢印Ｂ´方向側の約半分に対向する連通部１３３と、が形成されている。なお、連通部１３２は、各記録ヘッド１７ｃに対して複数（ここでは３個）ずつ設けられており、連通部１３３は、各記録ヘッド１７ｂに対して複数（ここでは２個）ずつ設けられている。
【００５５】
また、保持板金１３１の連通部１３２および１３３の矢印Ｂ´方向の部分には、ワイパー３５ｃおよび３５ｂ（図１９参照）がそれぞれ取り付けられるとともに、ワイパー３５ｃおよび３５ｂが拭き取ったインクを下方に通過させるインク通過穴１３４ａおよび１３４ｂが形成されている。なお、後述するように、キャリッジ本体１２０の底面部１２０ａには、インク通過穴１３４ｂに対応するインク通過穴１２４が形成されている。その一方、保持板金１３１のインク通過穴１３４ａは、キャリッジ本体１２０の底面部１２０ａよりも矢印Ｂ´方向に配置されているため、キャリッジ本体１２０の底面部１２０ａには、インク通過穴１３４ａに対応するインク通過穴は形成されていない。
【００５６】
インクガイド部材１３５は図１９および図２０に示すように、連通部１３２および１３３を覆うように保持板金１３１に固定されている。インクガイド部材１３５は図２１に示すように、連通部１３２に対応する複数（ここでは３個）のガイド部１３５ａと、連通部１３３に対応する複数（ここでは２個）のガイド部１３５ｂと、を有し、樹脂成型により一体で形成されている。
【００５７】
ガイド部１３５ａおよび１３５ｂの各々は図２２に示すように、インク吐出口１８からインクが強制的に押出された際にインク吐出面Ｆから落下するインクを受け入れる上部開口１３６ａを有するインク受け部１３６と、インク受け部１３６の下端から下方に延びるとともに連通部１３２および１３３に挿通されるインク案内部１３７と、を有する。インク案内部１３７の下端には、インクを回収トレイ４４に落下させる下部開口１３７ａが形成されている。
【００５８】
インク受け部１３６は、矢印ＡＡ´方向に対向配置され、下方に向かって互いの距離が接近する一対の傾斜面１３６ｂと、矢印ＢＢ´方向に対向配置され、下方に向かって互いの距離が接近する一対の傾斜面１３６ｃ（図２１参照）と、を有するテーパー形状に形成されている。一方、インク案内部１３７は、内面が鉛直方向に延びるように形成されており、内部開口面積（インク通過面積）は、上下方向に一定である。
【００５９】
図２３に示すように、上部開口１３６ａの矢印ＡＡ´方向の長さＬ１３６ａ（図２２参照）は、インク吐出面Ｆの矢印ＡＡ´方向の長さＬｆよりも長い。一方、下部開口１３７ａの矢印ＡＡ´方向の長さＬ１３７ａは、インク吐出面Ｆの矢印ＡＡ´方向の長さＬｆよりも短い。また、連通部１３２および１３３の矢印ＡＡ´方向の長さＬ１３２（＝Ｌ１３３）は、インク吐出面Ｆの矢印ＡＡ´方向の長さＬｆよりも短い。
【００６０】
また、下部開口１３７ａの矢印ＢＢ´方向の長さは、上部開口１３６ａの矢印ＢＢ´方向の長さよりも短い。このため、図２０に示すように、連通部１３２同士の間、および連通部１３３同士の間に、橋渡し部１３８を設けることが可能である。すなわち、１つのインク吐出面Ｆに対して１つの大きな連通部１３２または１３３を設ける場合に比べて、保持板金１３１の強度が低下するのを抑制することができる。
【００６１】
また、図１８および図２０に示すように、キャリッジ本体１２０の底面部１２０ａ（図１８参照）には、保持板金１３１の連通部１３２、１３３、インク通過穴１３４ｂおよび橋渡し部１３８（図２０参照）と同じ大きさで同じ位置（真下の位置）に、連通部１２２、１２３、インク通過穴１２４および橋渡し部１２８がそれぞれ形成されている。
【００６２】
次に、回収トレイ４４の構造について詳細に説明する。
【００６３】
図１７に示すように、回収トレイ４４は、ワイパー３５ａ〜３５ｃの下方に配置されており、ワイパー３５ａ〜３５ｃにより拭き取られたインクを回収する。図２４に示すように、回収トレイ４４の上面には、矢印ＢＢ´方向の中央部に配置され矢印ＡＡ´方向に延びる中央溝２１と、中央溝２１を挟んで矢印ＢＢ´方向の両側に配置されインクを受ける一対のトレイ面２２と、が設けられている。トレイ面２２は、中央溝２１に向かって下方に傾斜している。これにより、トレイ面２２に落下したインクは、中央溝２１に向かって流れ、集められる。
【００６４】
中央溝２１は、矢印ＡＡ´方向の中央部に向かって下方に傾斜するように形成されている。中央溝２１の矢印ＡＡ´方向の中央部には、回収したインクを下方に排出する排出口２３が設けられている。排出口２３には、廃インクタンクに繋がる排出チューブ（共に図示せず）が接続されている。ワイパー３５ａ〜３５ｃによってインク吐出面Ｆから拭き取られ、トレイ面２２に落下したインクは、トレイ面２２上を中央溝２１に向かって流れた後、中央溝２１内を排出口２３に向かって流れ、排出口２３から排出される。
【００６５】
トレイ面２２には、矢印ＢＢ´方向に延びるとともに、断面視谷形状に形成された複数の溝２５が設けられている。トレイ面２２に落下したインクは、溝２５内を中央溝２１に向かって流れる。
【００６６】
図２３に示すように、溝２５は、インクガイド部材１３５に対応するように設けられている。各溝２５は一対の傾斜面によって形成されており、溝２５の最深部２５ａは、インクガイド部材１３５の下部開口１３７ａに対向配置されている。ワイピング方向（矢印Ｂ方向）から見て、溝２５のピッチは下部開口１３７ａのピッチと等しくなっている。
【００６７】
次に、本実施形態のプリンター１００における記録ヘッド１７ａ〜１７ｃの回復動作について説明する。なお、以下で説明する回復動作およびキャッピング動作は、制御部１１０（図１参照）からの制御信号により記録ヘッド１７ａ〜１７ｃ、メンテナンスユニット１９、ユニット昇降機構６０、ユニット水平移動機構８５、搬送昇降機構、各駆動源等の動作を制御することによって実行される。
【００６８】
メンテナンスユニット１９により記録ヘッド１７ａ〜１７ｃの回復処理を行う場合、図６の状態から、図７に示すように記録部９（図１参照）の下面に対向配置されている第１搬送ユニット５を下降させる。このとき、メンテナンスユニット１９は第１の高さ位置に配置されており、メンテナンスユニット１９とキャップユニット５０とは連結されていない。
【００６９】
そして、図１１に示すように、キャップユニット５０を第２位置に残した状態でキャリッジ８０を第２位置から第１位置に水平移動させることによって、メンテナンスユニット１９を第１の高さ位置で第２位置から第１位置に水平移動させる。
【００７０】
そして、ユニット昇降機構６０により、図１２に示すようにメンテナンスユニット１９を上昇させる。これにより、メンテナンスユニット１９のワイパー３５ａ〜３５ｃを、記録ヘッド１７ａ〜１７ｃのインク吐出面Ｆの拭き取り開始位置に圧接する。
【００７１】
そして、ワイピング動作に先立って、インクを記録ヘッド１７ａ〜１７ｃに供給する。供給されたインクはインク吐出口１８（図２参照）から強制的に押出（パージ）される。このパージ動作により、インク吐出口１８内の増粘インク、異物や気泡が排出される。このとき、パージインクはインク吐出口１８の存在するインク吐出領域Ｒ（図５参照）の形状に沿ってインク吐出面Ｆに押出される。
【００７２】
ここで、インク吐出口１８から強制的に押出されるインクの量は、目的に応じて様々な量に設定される。インク吐出口１８から多くのインクを強制的に押出した場合、インク吐出面Ｆからインクが落下する。インク吐出面Ｆから落下したインクは、インクガイド部材１３５を介して、又は直接回収トレイ４４に落下する。このとき、インクガイド部材１３５に落下したインクは、インク受け部１３６によって矢印ＡＡ´方向および矢印ＢＢ´方向に集められた状態で回収トレイ４４に落下する。
【００７３】
その後、インク吐出面Ｆに押出されたインク（パージインク）を拭き取るワイピング動作を行う。具体的には、図１２に示した状態からワイパーキャリッジ移動モーター４５を正回転することにより、図１３に示すようにワイパーキャリッジ３１が矢印Ｂ方向に水平移動し、ワイパー３５ａ〜３５ｃが記録ヘッド１７ａ〜１７ｃのインク吐出面Ｆに押出されたインクを拭き取る。ワイパー３５ａ〜３５ｃにより拭き取られた廃インクは、メンテナンスユニット１９内に配置された回収トレイ４４に回収される。
【００７４】
その後、ユニット昇降機構６０（図１４参照）により図１１に示すようにメンテナンスユニット１９を第１の高さ位置まで下降させることによって、ワイパー３５ａ〜３５ｃを記録ヘッド１７ａ〜１７ｃのインク吐出面Ｆから下方に離間させる。その後、ワイパーキャリッジ３１を拭き取り方向と逆方向（矢印Ｂ´方向）に移動し、メンテナンスユニット１９を元の状態に戻す。
【００７５】
そして、第１位置に配置されたキャリッジ８０およびメンテナンスユニット１９を第１位置から第２位置に水平移動させる。これにより、メンテナンスユニット１９がキャップユニット５０の下方に配置される。このようにして、記録ヘッド１７ａ〜１７ｃの回復動作を終了する。
【００７６】
なお、回収トレイ４４のトレイ面２２に落下したインクは、トレイ面２２の溝２５内を中央溝２１に向かって流れた後、中央溝２１内を排出口２３に向かって流れる。そして、インクは、排出チューブを通過して廃インクタンク（共に図示せず）に貯留される。
【００７７】
次に、本実施形態のプリンター１００における記録ヘッド１７ａ〜１７ｃにキャップユニット５０を装着する動作（キャッピング動作）について説明する。
【００７８】
キャップユニット５０により記録ヘッド１７ａ〜１７ｃにキャップを行う場合、図６の状態から、図７に示すように記録部９（図１参照）の下面に対向配置されている第１搬送ユニット５を下降させる。このとき、メンテナンスユニット１９は第１の高さ位置に配置されており、メンテナンスユニット１９とキャップユニット５０とは連結されていない。
【００７９】
そして、ユニット昇降機構６０（図１４参照）により、メンテナンスユニット１９を第１の高さ位置から第２の高さ位置に上昇させる。これにより、図１６に示すように連結ピン４２が連結穴５２ａに挿入され、メンテナンスユニット１９とキャップユニット５０とが連結する。
【００８０】
その後、図８に示すように、キャリッジ８０を第２位置から第１位置に水平移動させることによって、キャップユニット５０がメンテナンスユニット１９の上面に連結した状態で第２位置から第１位置に水平移動する。
【００８１】
そして、ユニット昇降機構６０により、図９に示すようにメンテナンスユニット１９およびキャップユニット５０を上昇させる。キャップユニット５０のキャップ部５３が記録ヘッド１７ａ〜１７ｃのインク吐出面Ｆに密着した時点で巻き取り駆動モーター６４（図１４参照）の回転を停止させることによって、キャップユニット５０の記録ヘッド１７ａ〜１７ｃに対するキャップが完了する。
【００８２】
本実施形態では、上記のように、保持板金１３１のインク吐出面Ｆに対向する部分には、上下方向に連通する連通部１３２、１３３が形成されており、連通部１３２、１３３には、インク吐出口１８からインクが強制的に押出された際にインク吐出面Ｆから落下するインクを受け入れる上部開口１３６ａと、上部開口１３６ａと連通しインクを回収トレイ４４に落下させる下部開口１３７ａと、を有するインクガイド部材１３５が設けられている。そして、上部開口１３６ａの矢印ＡＡ´方向の長さＬ１３６ａは、インク吐出面Ｆの矢印ＡＡ´方向の長さＬｆよりも長く、下部開口１３７ａの矢印ＡＡ´方向の長さＬ１３７ａは、連通部１３２、１３３の矢印ＡＡ´方向の長さＬ１３２、Ｌ１３３よりも短い。これにより、インク吐出口１８から押出されるインクの量が多い場合であっても、インク吐出面Ｆから落下するインクをインクガイド部材１３５で受けて回収トレイ４４に落下させることができるので、インクが保持板金１３１に付着するのを抑制することができる。このため、インクが保持板金１３１上で固まったり、ワイパーキャリッジ３１の端部まで流れてワイパーキャリッジ３１の往復移動に悪影響を及ぼしたりするのを抑制することができる。
【００８３】
また、連通部１３２、１３３の矢印ＡＡ´方向の長さＬ１３２、Ｌ１３３は、インク吐出面Ｆの矢印ＡＡ´方向の長さＬｆよりも短い。これにより、保持板金１３１の連通部１３２、１３３が矢印ＡＡ´方向に大きくなるのを抑制することができるので、保持板金１３１の強度が低下するのを抑制することができる。
【００８４】
また、下部開口１３７ａの矢印ＡＡ´方向の長さＬ１３７ａは、上部開口１３６ａの矢印ＡＡ´方向の長さＬ１３６ａよりも短いので、インクは、矢印ＡＡ´方向に集められた状態でトレイ面２２に落下する。このため、トレイ面２２に落下したインクが流れやすくなるので、その場所でインクが固まってしまうのを抑制することができる。その結果、インクを容易に収集することができる。なお、インクが矢印ＡＡ´方向に広がった状態でトレイ面２２に落下し、少量のインクが分散した状態になると、インクが流れにくくなり、その場所でインクが固まってしまう。
【００８５】
また、上記のように、溝２５の最深部２５ａは、下部開口１３７ａに対向配置されている。これにより、下部開口１３７ａから落下するインクは、溝２５の最深部２５ａに直接落下するので、溝２５内部をより流れやすくなる。
【００８６】
また、上記のように、下部開口１３７ａの矢印ＢＢ´方向の長さは、上部開口１３６ａの矢印ＢＢ´方向の長さよりも短い。これにより、保持板金１３１の連通部１３２、１３３が矢印ＢＢ´方向に大きくなるのを抑制することができるので、保持板金１３１の強度が低下するのをより抑制することができる。また、インクは、矢印ＢＢ´方向にも集められた状態でトレイ面２２に落下するので、トレイ面２２に落下したインクがより流れやすくなる。
【００８７】
また、上記のように、連通部１３２、１３３は、１つのインク吐出面Ｆに対して複数個設けられている。これにより、１つのインク吐出面Ｆに対応する連通部１３２同士の間、及び１つのインク吐出面Ｆに対応する連通部１３３同士の間に橋渡し部１３８を設けることができる。すなわち、連通部１３２、１３３の１つ１つを小さくすることができる。このため、保持板金１３１の強度が低下するのをより抑制することができる。
【００８８】
また、上記のように、インクガイド部材１３５は、矢印ＡＡ´方向の長さが下方に向かって短くなるように形成されたインク受け部１３６と、連通部１３２、１３３に挿通されるインク案内部１３７と、を有する。これにより、容易に、インク吐出面Ｆから落下したインクが保持板金１３１に付着するのを抑制しながら、インクを回収トレイ４４に落下させることができる。
【００８９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９０】
例えば、上記実施形態では、連通部１３２、１３３が１つのインク吐出面Ｆに対して複数個設けられている例について示したが、連通部１３２、１３３は１つのインク吐出面Ｆに対して１個だけ設けられていてもよい。
【００９１】
また、上記実施形態では、キャリッジ本体１２０の底面部１２０ａ上に保持板金（保持プレート）１３１を設け、保持板金１３１にインクガイド部材１３５を設ける例について示したが、本発明はこれに限らない。例えば、保持板金１３１を設けず、キャリッジ本体１２０の底面部１２０ａにワイパー３５ａ〜３５ｃを固定するとともに、インクガイド部材１３５を底面部１２０ａに設けてもよい。この場合、キャリッジ本体１２０の底面部１２０ａが本発明の「保持プレート」に対応する。
【００９２】
また、上記実施形態では、トレイ面２２に断面視谷形状の溝２５が形成されている例について示したが、本発明はこれに限らず、トレイ面２２に溝２５が形成されていなくてもよい。
【００９３】
また、上述した実施形態および変形例の構成を適宜組み合わせて得られる構成についても、本発明の技術的範囲に含まれる。
【符号の説明】
【００９４】
１７ａ〜１７ｃ  記録ヘッド
１８  インク吐出口
１９  メンテナンスユニット
２２  トレイ面
２５  溝
２５ａ  最深部
３１  ワイパーキャリッジ
３５ａ〜３５ｃ  ワイパー
４４  回収トレイ
１００  プリンター（インクジェット記録装置）
１３１  保持板金（保持プレート）
１３２、１３３  連通部
１３５  インクガイド部材
１３６  インク受け部
１３６ａ  上部開口
１３７  インク案内部
１３７ａ  下部開口
Ｆ  インク吐出面
Ｌ１３２、Ｌ１３３、Ｌ１３６ａ、Ｌ１３７ａ、Ｌｆ  長さ
Ｐ  用紙（記録媒体）
【図１】
2020082358.tif 000003
【図２】
2020082358.tif 000004
【図３】
2020082358.tif 000005
【図４】
2020082358.tif 000006
【図５】
2020082358.tif 000007
【図６】
2020082358.tif 000008
【図７】
2020082358.tif 000009
【図８】
2020082358.tif 000010
【図９】
2020082358.tif 000011
【図１０】
2020082358.tif 000012
【図１１】
2020082358.tif 000013
【図１２】
2020082358.tif 000014
【図１３】
2020082358.tif 000015
【図１４】
2020082358.tif 000016
【図１５】
2020082358.tif 000017
【図１６】
2020082358.tif 000018
【図１７】
2020082358.tif 000019
【図１８】
2020082358.tif 000020
【図１９】
2020082358.tif 000021
【図２０】
2020082358.tif 000022
【図２１】
2020082358.tif 000023
【図２２】
2020082358.tif 000024
【図２３】
2020082358.tif 000025
【図２４】
2020082358.tif 000026